(57)【特許請求の範囲】
【請求項１】
収納に隣接してパイプスペースが設けられ、このパイプスペースは、居室に面した壁面に壁点検口が設けられるとともに、この壁面の部分まで扉枠が設けられ、この壁点検口は、収納前面に設けられる収納扉を開けた状態で露出し、閉じた状態で隠蔽されるとともに、開けた際に折りたたまれた収納扉を壁面側にまとめてスライド移動させることにより、収納全体を開口できるようになされたことを特徴とする壁点検口の隠蔽構造。
【発明の詳細な説明】
【０００１】
【発明の属する技術分野】
本発明は、住宅建物内において、パイプスペースの壁点検口の納まりを綺麗に見せる隠蔽構造に関するものである。
【０００２】
【従来の技術】
一般に、マンションなどの多層階の住宅建物においては、上層階からの排水パイプなどを納めたパイプスペースが設けられている。このパイプスペースは、各階層の居室との間が仕切られて別空間となされているが、パイプスペースと居室との間の壁面には、壁点検口が設けられ、定期的な守備点検が行えるようになされている。
【０００３】
従来より、このようなパイプスペースの壁点検口は、点検口周縁に樹脂製や金属製の枠が設けられ、そこにパネルをビス止めする構成となされていた。
【０００４】
【発明が解決しようとする課題】
しかし、上記従来の壁点検口の場合、枠やビスなどが居室の壁面に露出することとなるので、意匠上、居室内の美観が損なわれるといった不都合を生じることとなる。
【０００５】
また、共同住宅などの場合、パイプスペース内には、他住戸からの排水管が設けられているのがほとんどである。したがって、壁点検口が常時目に入ると、自分の住戸内を他住戸の排水が流れているといったことが意識されてしまい、心理的抵抗を生じてしまう。
【０００６】
そのため、パイプスペースを収納などに隣接して設け、この収納内とパイプスペースとの間を連通するように壁点検口を設けることで、普段目につかない位置に壁点検口を設けるといったことが行われているが、この場合、保守点検の度に、収納内の収納物を取り出さなければならず、煩わしいといった不都合を生じることとなる。
【０００７】
本発明は、係る実情に鑑みてなされたものであって、使い勝手に優れ、かつ、綺麗に納めることができる壁点検口構造を提供することを目的としている。
【０００８】
【課題を解決するための手段】
上記課題を解決するための本発明の壁点検口の隠蔽構造は、収納に隣接してパイプスペースが設けられ、このパイプスペースは、居室に面した壁面に壁点検口が設けられるとともに、この壁面の部分まで扉枠が設けられ、この壁点検口は、収納前面に設けられる収納扉を開けた状態で露出し、閉じた状態で隠蔽されるとともに、開けた際に折りたたまれた収納扉を壁面側にまとめてスライド移動させることにより、収納全体を開口できるようになされたものである。
【０００９】
【発明の実施の形態】
以下、本発明の実施の形態を図面を参照して説明する。
【００１０】
図１ないし図３は、壁点検口１０の隠蔽構造の全体構成の概略を示している。
【００１１】
すなわち、この壁点検口１０の隠蔽構造は、収納２に隣接してパイプスペース１が設けられ、このパイプスペース１は、居室３に面した壁面１１に壁点検口１０が設けられ、この壁点検口１０は、収納前面に設けられる収納扉２１を開けた状態で露出し、閉じた状態で隠蔽されてなるものである。
【００１２】
パイプスペース１は、幅約７５ｃｍ、奥行き約６０ｃｍに形成されている。このパイプスペース１は、多層階の住宅建物において、各階層間を高さ方向に連通するように設けられており、その内部には、各階層からの排水管１２が設けられるようになされている。
【００１３】
このパイプスペース１のうち、居室３に面した壁面１１には、床面４からの高さが約１ｍ程度の所に、約３０ｃｍ×約３０ｃｍの大きさの壁点検口１０が設けられている。この壁点検口１０は、開口部周縁に金属製または樹脂製の枠体１０ａを設けるようになされており、この枠体１０ａの部分に、パネル１０ｂをビス止めすることによって、通常時は閉じられた状態となされている。また、壁点検口１０は、枠体１０ａにパネル１０ｂをビス止めして壁点検口１０を閉じた状態で、壁面１１とパネル１０ｂとを面一にできるようになされている。
【００１４】
収納２は、幅約２ｍ、奥行き約６０ｃｍ、高さ約２２０ｃｍに形成され、上記パイプスペース１に隣接するようになされている。その内部は、収納棚２ａとハンガーパイプ２ｂとが設けられている。この収納２の内部のレイアウトについては特に限定されるものではなく、使用者の使い勝手に応じて適宜変更される。この収納２の前面には、収納扉２１を取り付けるための扉枠２２が設けられる。この扉枠２２は、収納２の前面のみならず、パイプスペース１の居室３に面した壁面１１も含むようになされており、この扉枠２２の内側に、壁点検口１０が納まるようになされている。
【００１５】
収納扉２１は、三つの折れ戸から構成され、すべての折れ戸を引き伸ばした状態で、この扉枠２２の内側全体に納まって、この扉枠２２の内側全体を閉じることができるようになされている。
【００１６】
このようにして構成される壁点検口１０の隠蔽構造によると、収納２を開閉する収納扉２１を閉じることによって、収納２のみならず、パイプスペース１の壁点検口１０も隠すことができるので、居室３からの視界に壁点検口１０が入ることも無く、壁点検口１０周りを綺麗に納めることができる。
【００１７】
また、この壁点検口１０を隠している収納扉２１を開ければ、壁点検口１０は、容易に居室３に露出することとなる。したがって、パイプスペース１内の排水管１２などの保守点検を行うような場合には、居室３側からこの壁点検口１０を介して容易に行うことができる。
【００１８】
さらに、図４に示すように、この収納２は、パイプスペース１の壁面１１の部分まで扉枠２２が設けられているので、開けた際に折り畳まれた収納扉２１を、パイプスペース１の壁面１１側にまとめてスライド移動させることにより、収納２全体を開口させることができる。通常だと、開けた際に折り畳まれた収納扉２１が収納２の前面の何れかの位置に位置することとなるが、このように収納扉２１を壁面１１の部分にスライド移動させることにより、収納２全体を開口させることが可能となる。したがって、この収納２は、収納扉２１が邪魔になることなく、収納２内の模様替えなどを容易に行うことができる。
【００１９】
なお、本実施の形態において、パイプスペース１、壁点検口１０、収納２のそれぞれの大きさについては、特に限定されるものではなく、居室３の間取りなどに応じて適宜変更される。
【００２０】
また、本実施の形態において、壁点検口１０は、枠体１０ａにパネル１０ｂをビス止めするようになされているが、この壁点検口１０としては、特に限定されるものではなく、例えば、枠体１０ａにパネル１０ｂをマグネット（図示省略）で止めるようになされたものであってもよいし、枠体１０ａに嵌め込んだパネル１０ｂを、樹脂製の枠材（図示省略）で止めるようになされたものなどであってもよい。
【００２１】
さらに、本実施の形態において、収納扉２１は、折れ戸によって構成されているが、この収納扉２１としては、特に限定されるものではなく、例えば、開き戸であってもよいし、引き戸であってもよいし、伸縮戸などであってもよい。
【００２２】
【発明の効果】
以上述べたように、本発明によると、壁点検口を居室に面して壁面に設けているので、点検作業を容易に行うことができる。また、この壁点検口は、普段は、収納前面に設けられる収納扉によって隠蔽されるので、壁点検口周りの枠体や固定ビスなどが目立つ事も無く、綺麗に納めることができる。さらに、収納は、開けた際に折りたたまれた収納扉を壁面側にまとめてスライド移動させることにより、収納全体を開口できるとともに、このように収納全体を開口した状態でも、折りたたまれた収納扉によって壁点検口を隠蔽することができる。
【図面の簡単な説明】
【図１】本発明に係る壁点検口の隠蔽構造を示す正面図である。
【図２】本発明に係る壁点検口の隠蔽構造において、収納扉の内側を示す正面図である。
【図３】本発明に係る壁点検口の隠蔽構造を示す水平断面図である。
【図４】本発明に係る壁点検口の隠蔽構造の使用状態を示す水平断面図である。
【符号の説明】
１  パイプスペース
１０  壁点検口
１１  壁面
２  収納
２１  収納扉
３  居室
【図１】
0003910376.tif 000002
【図２】
0003910376.tif 000003
【図３】
0003910376.tif 000004
【図４】
0003910376.tif 000005